(57)【要約】【課題】耐食性が確保でき且つ製造コストが低減できる圧力測定装置を実現する。【解決手段】測定装置本体の一方端に接続され耐食材よりなるニップルを具備する圧力測定装置において、前記測定装置本体の一方端に設けられた凸部と、この凸部に対向して前記ニップルの一方の面に設けられ前記凸部が嵌合される凹部と、この凹部の底面を覆って設けられ前記凸部の頂部と受圧室を構成し耐食材よりなる接液ダイアフラムとを具備したことを特徴とする圧力測定装置である。【選択図】図１
2011149895.tif 000002
【特許請求の範囲】
【請求項１】
測定装置本体の一方端に接続され耐食材よりなるニップルを具備する圧力測定装置において、
前記一方端に設けられた凸部と、
この凸部に対向して前記ニップルの一方の面に設けられ前記凸部が嵌合される凹部と、
この凹部の底面を覆って設けられ前記凸部の頂部と受圧室を構成し耐食材よりなる接液ダイアフラムと
を具備したことを特徴とする圧力測定装置。
【請求項２】
前記受圧室は前記凹部と、前記凹部と隙間を保って設けられた前記凸部の頂部とにより構成されたこと
を特徴とする請求項１記載の圧力測定装置。
【請求項３】
前記ニップルの凹部の底面に凹状に設けられた接液室
を具備したことを特徴とする請求項１又は請求項２記載の圧力測定装置。
【発明の詳細な説明】
【技術分野】
【０００１】
本発明は、圧力測定装置に関するものである。
更に詳述すれば、本発明は、耐食性が確保でき且つ製造コストが低減できる圧力測定装置に関するものである。
【背景技術】
【０００２】
図２は従来より一般に使用されている従来例の要部構成説明図である。
図において、２は、測定装置本体１の一端に設けられた凸部である。
３は、凸部２の頂面側に設けられ耐食材よりなる接液ブロックである。
４は、接液ブロック３の頂面に設けられた耐食材よりなる接液ダイアフラムである。
【０００３】
５は、測定装置本体１の凸部側に接続された耐食材よりなるニップルである。
６は、ニップル５の、凸部２に対向する面に設けられ、ニップル５の貫通孔７に連通され、凸部２が挿入される凹部である。
【０００４】
この場合は、接液ブロック３，接液ダイアフラム４，ニップル５には、ニッケル・モリブデン・クロム合金材、具体的には、ＪＩＳ規格のＨ４５５１〜Ｈ４５５４で規定されているＮＷ０２７６合金材（商品名ハステロイＣ−２７６）が使用されている。
【０００５】
８は、接液ブロック３の側周面と凹部６の側周面とをリング状に溶接する溶接部である。
この場合は、電子ビーム溶接が使用されている。
【０００６】
即ち、凸部２の頂面側に接液ブロック３を溶接９により組み立てる。
接液ブロック３の頂面に接液ダイアフラム４を溶接１１により組み立てる。
これにニップル５を溶接１２組み立てることで、受圧部分を構成する。
【０００７】
しかし、このままでは、ニップル５の貫通孔７より流入する腐食性の測定流体ＦＬが、接液ブロック３と凹部６との隙間を通って、測定装置本体１に接触するため、測定装置本体１が腐食される。
【０００８】
そこで、接液ブロック３の側周面とニップル５の凹部６の側周面との隙間に、溶接部８を設ける事により、腐食性の測定流体ＦＬが、測定装置本体１に接触する事を防ぐ。
溶接部８は、溶融する材料が、全て耐食材料であるために、耐食性は母材と同等であり、腐食性の測定流体ＦＬによる腐食に耐える事が出来る。
【先行技術文献】
【特許文献】
【０００９】
【特許文献１】特開２００２−３４０７１７号公報
【発明の概要】
【発明が解決しようとする課題】
【００１０】
このような装置においては、以下の問題点がある。
耐食材料は非常に高価であり、且つ加工性が悪いために、加工コストがかかる。
組立の際の溶接箇所数が多く組立コストがかかる。
【００１１】
接液ブロック３の側周面とニップル５の凹部の側周面とをリング状に溶接する溶接部８は、深い溶け込みを得るために電子ビーム溶接を使用しなければならないため、真空状態での溶接となり、大型で高価な溶接装置が必要となる。
【００１２】
本発明の目的は、上記の課題を解決するもので、耐食性が確保でき且つ製造コストが低減できる圧力測定装置を提供することにある。
【課題を解決するための手段】
【００１３】
このような課題を達成するために、本発明では、請求項１の圧力測定装置においては、
測定装置本体の一方端に接続され耐食材よりなるニップルを具備する圧力測定装置において、前記測定装置本体の一方端に設けられた凸部と、この凸部に対向して前記ニップルの一方の面に設けられ前記凸部が嵌合される凹部と、この凹部の底面を覆って設けられ前記凸部の頂部と受圧室を構成し耐食材よりなる接液ダイアフラムとを具備したことを特徴とする。
【００１４】
本発明の請求項２の圧力測定装置においては、請求項１記載の圧力測定装置において、
前記受圧室は前記凹部と、前記凹部と隙間を保って設けられた前記凸部の頂部とにより構成されたことを特徴とする。
【００１５】
本発明の請求項３の圧力測定装置においては、請求項１又は請求項２記載の圧力測定装置において、
前記ニップルの凹部の底面に凹状に設けられた接液室を具備したことを特徴とする。
【発明の効果】
【００１６】
本発明の請求項１によれば、次のような効果がある。
測定流体に対し、接液するのは接液ダイアフラムとニップルのみに構成できるので、高価な耐食材を使用する部品を必要最小限に抑える事ができ、且つ、部品が少なくて済むので、従来より少ない溶接数で良く、耐食性を有し且つ安価な圧力測定装置が得られる。
【００１７】
本発明の請求項２によれば、次のような効果がある。
受圧室は凹部と、凹部と隙間を保って設けられた凸部の頂部とにより構成されたので、接液ダイアフラムの動作を妨げることのない受圧室が確実に確保できる圧力測定装置が得られる。
【００１８】
本発明の請求項３によれば、次のような効果がある。
ニップルの凹部の底面に凹状に設けられた接液室が設けられたので、ニップルの貫通孔の大きさの如何に係わらず接液室が確実に確保できる圧力測定装置が得られる。
温度変化による受圧室の封入液の膨張によるダイアフラムとニップルとの接触の無い圧力測定装置が得られる。
【図面の簡単な説明】
【００１９】
【図１】本発明の一実施例の要部構成説明図である。
【図２】従来より一般に使用されている従来例の要部構成説明図である。
【発明を実施するための形態】
【００２０】
以下本発明を図面を用いて詳細に説明する。
図１は本発明の一実施例の要部構成説明図である。
図において、図２と同一記号の構成は同一機能を表す。
以下、図２との相違部分のみ説明する。
【００２１】
図１において、２１は測定装置本体であり、適度な耐食性を有し、安価で加工性の良い等の機能を兼ね備えている材料、たとえば、ＪＩＳ規格のＳＵＳ３１６ステンレス材等からなる。
ニップル２２は、測定装置本体１１の一方端に接続され、耐食材よりなり、貫通孔２３を有する。
【００２２】
凸部２４は、測定装置本体２１の一方端に設けられている。
凹部２５は、この凸部２４に対向して、ニップル２２の一方の面に設けられ、凸部２４が嵌合される。
接液ダイアフラム２６は、この凹部２５の底面を覆って設けられ、凸部２４の頂部と受圧室２７を構成し耐食材よりなる。
【００２３】
この場合は、耐食材のニップル２２の内側の凸部に溶接３２により接合され、耐食材のハステロイ材からなる。
この場合は、受圧室２７は、凹部２５と凹部２５と隙間を保って設けられた凸部２４の頂部とにより構成されている。
【００２４】
この場合は、接液室２８は、ニップルの凹部２５の底面に凹状に設けられている。
この場合は、ニップル２２は、測定装置本体２１に溶接３１固定されている。
接液ダイアフラム１６は、ニップルの凹部１５の底面に溶接３２固定されている。
【００２５】
以上の構成において、接液ダイアフラム２６をニップル２２に溶接３２により組立、これを本体ボディ２１に溶接３１により組立することにより受圧部分を構成する。
これにより、貫通孔２３より流入する腐食性の測定流体に接液するのは、耐食材のハステロイ材の接液ダイアフラム２６とニップル２２のみとなる。
【００２６】
この結果、測定流体に対し、接液するのは接液ダイアフラム２６とニップル２２のみに構成できるので、高価な耐食材を使用する部品を、必要最小限に抑える事ができ、且つ、部品が少なくて済むので、従来より、少ない溶接数で良く、耐食性を有し且つ安価な圧力測定装置が得られる。
【００２７】
受圧室２７は凹部２５と、凹部２５と隙間を保って設けられた凸部２４の頂部とにより構成されたので、接液ダイアフラム２６の動作を妨げることのない受圧室２７が確実に確保できる圧力測定装置が得られる。
【００２８】
ニップルの凹部２５の底面に凹状に設けられた接液室２８が設けられたので、ニップルの貫通孔２３の大きさの如何に係わらず接液室２８が確実に確保できる圧力測定装置が得られる。
温度変化による受圧室２７の封入液の膨張による接液ダイアフラム２６とニップル２２との接触の無い圧力測定装置が得られる。
【００２９】
具体的には、
従来使用していた耐食材ハステロイからなる接液ブロックを削減できる。
・溶接点数が従来の４点から２点に低減できる。
・大型で高価な装置が必要な電子ビーム溶接が削減できる。
【００３０】
なお、前述の実施例においては、耐食材のハステロイを使用したと説明したが、これに限ることはなく、例えば、耐食材のモネル、タンタル、チタンであっても良く、要するに、高耐食材であれば良い。
なお、前述の実施例においては、ニップル２２の内側の凸部に接液ダイアフラム２６を溶接しているが、溶接位置・溶接部形状はこれに限らず、測定装置本体２１と接液ダイアフラム２６によって受圧部２７を構成できれば良い。
【００３１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３２】
１      測定装置本体
２      凸部
３      接液ブロック
４      接液ダイアフラム
５      ニップル
６      凹部
７      貫通孔
８      溶接部
９      溶接
１１    溶接
１２    溶接
２１    測定装置本体
２２    ニップル
２３    貫通孔
２４    凸部
２５    凹部
２６    接液ダイアフラム
２７    受圧室
２８    接液室
３１    溶接
３２    溶接
【図１】
2011149895.tif 000003
【図２】
2011149895.tif 000004